(57)【要約】【課題】  側面部の下端から連設された片部を組み合わせて底面部を構成する、いわゆるＢ式底組みタイプの箱において、底面を構成する片部の組立てを容易とすることができる箱を提供する。【解決手段】  箱Ａの展開状態において、片部３４は突出部３４ｂと突出部３４ｃとを有し、片部３８は突出部３８ｂと突出部３８ｃとを有していて、片部３４と片部３８とは同大同形状となっていて、箱Ａの組立て状態では、突出部３４ｂは切欠部Ｋ２１に入り、突出部３８ｂは、切欠部Ｋ１１に入るようになっている。片部３２と片部３６も同大同形状となっている。片部３２〜３８のうちいずれかの片部から折り曲げていっても片部３２〜３８を側板部１２〜１８により筒状に構成される側面部１０内に押し込んだ状態とすることにより、底面部３０を組み立てることができる。【選択図】        図３
0003110775.tif 000002
【実用新案登録請求の範囲】
【請求項１】
箱であって、
箱の側面を形成する側面部で、
方形状の第１側板部と、第１側板部の側端に折れ線を介して連設された方形状の第２側板部と、第２側板部の側端に折れ線を介して連設された方形状の第３側板部と、第３側板部の側端に折れ線を介して連設された方形状の第４側板部とを有し、該第１側板部と該第２側板部と該第３側板部と該第４側板部とで筒状に形成され、箱の組立て状態では該第１側板部と該第３側板部とが略平行に配設されるとともに、該第２側板部と該第４側板部とが略平行に配設される側面部と、
該第１側板部の下端から折れ線を介して連設された第１片部と、
該第２側板部の下端から折れ線を介して連設された第２片部と、
該第３側板部の下端から折れ線を介して連設された第３片部と、
該第４側板部の下端から折れ線を介して連設された第４片部と、
を有し、
該第１片部が、該第２片部側とは反対側に、第１側板部との間の折れ線に対して鋭角の辺部である傾斜辺部を有し、
該第２片部が、該第２側板部の下端から折れ線を介して連設された第１基端部で、該第１片部側に、第２側板部との間の折れ線に対して鋭角の辺部である傾斜辺部を有する第１基端部と、該第１基端部の第２側板部側とは反対側に設けられた一対の突出部とを有し、
該第３片部が、該第２片部側に、第３側板部との間の折れ線に対して鋭角の辺部である傾斜辺部を有し、
該第４片部が、該第４側板部の下端から折れ線を介して連設された第２基端部で、該第３片部側に、第４側板部との間の折れ線に対して鋭角の辺部である傾斜辺部を有する第２基端部と、該第２基端部の第４側板部側とは反対側に設けられた一対の突出部とを有し、
箱の組立て状態では、箱の底面側から見て、該第２片部の一部が該第１片部の一部に重なり、該第３片部の一部が該第２片部の一部に重なり、該第４片部の一部が該第３片部の一部に重なり、該第１片部の一部が該第４片部の一部に重なり、さらに、該第２片部における一対の突出部のうち傾斜辺部に近い方の突出部が該第４片部における一対の突出部間の切欠部に入り込み、該第４片部における一対の突出部のうち傾斜辺部に近い方の突出部が該第２片部における一対の突出部間の切欠部に入り込んだ状態となって、第１片部と第２片部と第３片部と第４片部により箱の底面部が形成されることを特徴とする箱。
【請求項２】
上記第１片部と上記第３片部とは、同大同形状に形成されているとともに、上記第２片部と上記第４片部とは、同大同形状に形成されていて、箱の組立て状態においては、上記第１片部と上記第３片部とは互いに点対称に設けられ、また、上記第２片部と上記第４片部とは互いに点対称に設けられていることを特徴とする請求項１に記載の箱。
【請求項３】
上記第２片部における第１基端部の幅であって第２側板部との折れ線から第１基端部の先端までの幅は、上記第１側板部及び第３側板部の横方向の幅の略半分の長さを有し、また、上記第４片部における第２基端部の幅であって第４側板部との折れ線から第２基端部の先端までの幅は、上記第１側板部及び第３側板部の横方向の幅の略半分の長さを有していることを特徴とする請求項１又は２に記載の箱。
【請求項４】
箱であって、
箱の側面を形成する側面部で、
方形状の第１側板部と、第１側板部の側端に折れ線を介して連設された方形状の第２側板部と、第２側板部の側端に折れ線を介して連設された方形状の第３側板部と、第３側板部の側端に折れ線を介して連設された方形状の第４側板部とを有し、該第１側板部と該第２側板部と該第３側板部と該第４側板部とで筒状に形成され、箱の組立て状態では該第１側板部と該第３側板部とが略平行に配設されるとともに、該第２側板部と該第４側板部とが略平行に配設される側面部と、
該第１側板部の下端から折れ線を介して連設された第１片部と、
該第２側板部の下端から折れ線を介して連設された第２片部と、
該第３側板部の下端から折れ線を介して連設された第３片部と、
該第４側板部の下端から折れ線を介して連設された第４片部と、
を有し、
該第１片部が、該第２片部側とは反対側に、第１側板部との間の折れ線に対して鋭角の辺部である傾斜辺部を有し、
該第２片部が、該第２側板部の下端から折れ線を介して連設された第１基端部で、該第１片部側に、第２側板部との間の折れ線に対して鋭角の辺部である傾斜辺部を有する第１基端部と、該第１基端部の第２側板部側とは反対側に設けられた一対の突出部とを有し、該第２片部における第１基端部の幅であって第２側板部との折れ線から第１基端部の先端までの幅は、上記第１側板部及び第３側板部の横方向の幅の略半分の長さを有し、
該第３片部が、該第１片部と同大同形状に形成され、該第２片部側に、第３側板部との間の折れ線に対して鋭角の辺部である傾斜辺部を有し、
該第４片部が、該第２片部と同大同形状に形成され、該第４側板部の下端から折れ線を介して連設された第２基端部で、該第３片部側に、第４側板部との間の折れ線に対して鋭角の辺部である傾斜辺部を有する第２基端部と、該第２基端部の第４側板部側とは反対側に設けられた一対の突出部とを有し、該第４片部における第２基端部の幅であって第４側板部との折れ線から第２基端部の先端までの幅は、上記第１側板部及び第３側板部の横方向の幅の略半分の長さを有し、
箱の組立て状態では、箱の底面側から見て、該第２片部の一部が該第１片部の一部に重なり、該第３片部の一部が該第２片部の一部に重なり、該第４片部の一部が該第３片部の一部に重なり、該第１片部の一部が該第４片部の一部に重なり、さらに、該第２片部における一対の突出部のうち傾斜辺部に近い方の突出部が該第４片部における一対の突出部間の切欠部に入り込み、該第４片部における一対の突出部のうち傾斜辺部に近い方の突出部が該第２片部における一対の突出部間の切欠部に入り込んだ状態となっており、また、上記第１片部と上記第３片部とは互いに点対称に設けられ、また、上記第２片部と上記第４片部とは互いに点対称に設けられ、第１片部と第２片部と第３片部と第４片部により箱の底面部が形成されることを特徴とする箱。
【請求項５】
上記第１片部が、第１片部における上記傾斜辺部から第１片部の先端側に連設された先端側傾斜辺部を有し、該第１辺部において、該先端側傾斜辺部と該傾斜辺部とは鈍角を形成しており、また、上記第３片部が、第３片部における上記傾斜辺部から第３片部の先端側に連設された先端側傾斜辺部を有し、該第３辺部において、該先端側傾斜辺部と該傾斜辺部とは鈍角を形成していることを特徴とする請求項１又は２又は３又は４に記載の箱。
【請求項６】
箱であって、
箱の側面を形成する側面部で、
方形状の第１側板部と、第１側板部の側端に折れ線を介して連設された方形状の第２側板部と、第２側板部の側端に折れ線を介して連設された方形状の第３側板部と、第３側板部の側端に折れ線を介して連設された方形状の第４側板部とを有し、該第１側板部と該第２側板部と該第３側板部と該第４側板部とで筒状に形成され、箱の組立て状態では該第１側板部と該第３側板部とが略平行に配設されるとともに、該第２側板部と該第４側板部とが略平行に配設される側面部と、
該第１側板部の下端から折れ線を介して連設された第１片部と、
該第２側板部の下端から折れ線を介して連設された第２片部と、
該第３側板部の下端から折れ線を介して連設された第３片部と、
該第４側板部の下端から折れ線を介して連設された第４片部と、
を有し、
該第１片部が、該第１側板部の下端から折れ線を介して連設された第１基端部で、該第２片部側とは反対側に、第１側板部との間の折れ線に対して鋭角の辺部である傾斜辺部を有する第１基端部と、該第１基端部の第１側板部側とは反対側に設けられた一対の突出部とを有し、
該第２片部が、該第１片部側に、第２側板部との間の折れ線に対して鋭角の辺部である傾斜辺部を有し、
該第３片部が、該第３側板部の下端から折れ線を介して連設された第２基端部で、該第２片部側に、第３側板部との間の折れ線に対して鋭角の辺部である傾斜辺部を有する第２基端部と、該第２基端部の第３側板部側とは反対側に設けられた一対の突出部とを有し、
該第４片部が、該第３片部側に、第４側板部との間の折れ線に対して鋭角の辺部である傾斜辺部を有し、
箱の組立て状態では、箱の底面側から見て、該第２片部の一部が該第１片部の一部に重なり、該第３片部の一部が該第２片部の一部に重なり、該第４片部の一部が該第３片部の一部に重なり、該第１片部の一部が該第４片部の一部に重なり、さらに、該第１片部における一対の突出部のうち傾斜辺部に近い方の突出部が該第３片部における一対の突出部間の切欠部に入り込み、該第３片部における一対の突出部のうち傾斜辺部に近い方の突出部が該第１片部における一対の突出部間の切欠部に入り込んだ状態となって、第１片部と第２片部と第３片部と第４片部により箱の底面部が形成されることを特徴とする箱。
【請求項７】
上記第１片部と上記第３片部とは、同大同形状に形成されているとともに、上記第２片部と上記第４片部とは、同大同形状に形成されていて、箱の組立て状態においては、上記第１片部と上記第３片部とは互いに点対称に設けられ、また、上記第２片部と上記第４片部とは互いに点対称に設けられていることを特徴とする請求項６に記載の箱。
【請求項８】
上記第１片部における第１基端部の幅であって第１側板部との折れ線から第１基端部の先端までの幅は、上記第２側板部及び第４側板部の横方向の幅の略半分の長さを有し、また、上記第３片部における第２基端部の幅であって第３側板部との折れ線から第２基端部の先端までの幅は、上記第２側板部及び第４側板部の横方向の幅の略半分の長さを有していることを特徴とする請求項６又は７に記載の箱。
【請求項９】
箱であって、
箱の側面を形成する側面部で、
方形状の第１側板部と、第１側板部の側端に折れ線を介して連設された方形状の第２側板部と、第２側板部の側端に折れ線を介して連設された方形状の第３側板部と、第３側板部の側端に折れ線を介して連設された方形状の第４側板部とを有し、該第１側板部と該第２側板部と該第３側板部と該第４側板部とで筒状に形成され、箱の組立て状態では該第１側板部と該第３側板部とが略平行に配設されるとともに、該第２側板部と該第４側板部とが略平行に配設される側面部と、
該第１側板部の下端から折れ線を介して連設された第１片部と、
該第２側板部の下端から折れ線を介して連設された第２片部と、
該第３側板部の下端から折れ線を介して連設された第３片部と、
該第４側板部の下端から折れ線を介して連設された第４片部と、
を有し、
該第１片部が、該第１側板部の下端から折れ線を介して連設された第１基端部で、該第２片部側とは反対側に、第１側板部との間の折れ線に対して鋭角の辺部である傾斜辺部を有する第１基端部と、該第１基端部の第１側板部側とは反対側に設けられた一対の突出部とを有し、該第１片部における第１基端部の幅であって第１側板部との折れ線から第１基端部の先端までの幅は、上記第２側板部及び第４側板部の横方向の幅の略半分の長さを有し、
該第２片部が、該第１片部側に、第２側板部との間の折れ線に対して鋭角の辺部である傾斜辺部を有し、
該第３片部が、該第１片部と同大同形状に形成され、該第３側板部の下端から折れ線を介して連設された第２基端部で、該第２片部側に、第３側板部との間の折れ線に対して鋭角の辺部である傾斜辺部を有する第２基端部と、該第２基端部の第３側板部側とは反対側に設けられた一対の突出部とを有し、該第３片部における第２基端部の幅であって第３側板部との折れ線から第２基端部の先端までの幅は、上記第２側板部及び第４側板部の横方向の幅の略半分の長さを有し、
該第４片部が、該第２片部と同大同形状に形成され、該第３片部側に、第４側板部との間の折れ線に対して鋭角の辺部である傾斜辺部を有し、
箱の組立て状態では、箱の底面側から見て、該第２片部の一部が該第１片部の一部に重なり、該第３片部の一部が該第２片部の一部に重なり、該第４片部の一部が該第３片部の一部に重なり、該第１片部の一部が該第４片部の一部に重なり、さらに、該第１片部における一対の突出部のうち傾斜辺部に近い方の突出部が該第３片部における一対の突出部間の切欠部に入り込み、該第３片部における一対の突出部のうち傾斜辺部に近い方の突出部が該第１片部における一対の突出部間の切欠部に入り込んだ状態となっており、また、上記第１片部と上記第３片部とは互いに点対称に設けられ、また、上記第２片部と上記第４片部とは互いに点対称に設けられ、第１片部と第２片部と第３片部と第４片部により箱の底面部が形成されることを特徴とする箱。
【請求項１０】
上記第２片部が、第２片部における上記傾斜辺部から第２片部の先端側に連設された先端側傾斜辺部を有し、該第２辺部において、該先端側傾斜辺部と該傾斜辺部とは鈍角を形成しており、また、上記第４片部が、第４片部における上記傾斜辺部から第４片部の先端側に連設された先端側傾斜辺部を有し、該第４辺部において、該先端側傾斜辺部と該傾斜辺部とは鈍角を形成していることを特徴とする請求項６又は７又は８又は９に記載の箱。
【請求項１１】
上記第１片部が、第１片部に設けられた傾斜辺部とは反対側に他の傾斜辺部を有し、上記第２片部が、第２片部に設けられた傾斜辺部とは反対側に他の傾斜辺部を有し、上記第３片部が、第３片部に設けられた傾斜辺部とは反対側に他の傾斜辺部を有し、上記第４片部が、第４片部に設けられた傾斜辺部とは反対側に他の傾斜辺部を有していることを特徴とする請求項１又は２又は３又は４又は５又は６又は７又は８又は９又は１０に記載の箱。
【請求項１２】
箱におけるいずれかの面に箱の組立て方法が記載されていることを特徴とする請求項１又は２又は３又は４又は５又は６又は７又は８又は９又は１０又は１１に記載の箱。
【考案の詳細な説明】
【技術分野】
【０００１】
本考案は、箱に関するものであり、特に、側面部から連設された複数の片部を組み合わせて底面部を構成する箱に関するものである。
【背景技術】
【０００２】
従来より、側面部の下端から連設された片部を組み合わせて底面部を構成する箱が存在する。すなわち、Ｂ式底組みタイプの箱Ｂは、図９の展開状態に示すように構成され、箱Ｂの底面は、４つの側板部１１２〜１１８の下端から連設された４つの片部１３２〜１３８を組み合わせることにより構成される。つまり、側板部１１２の下端からは片部１３２が連設され、側板部１１４の下端からは片部１３４が連設され、側板部１１６の下端からは片部１３６が連設され、側板部１１８の下端からは片部１３８が連設されていて、各片部を組み合わせることにより底面部が構成される。なお、図９において、１２０は糊代部である。
【０００３】
この底面部の構成に当たっては、まず、片部１３４を側板部１１４に対して折り曲げ、その後、片部１３２を側板部１１２に対して折り曲げるとともに片部１３６を側板部１１６に対して折り曲げる。その後、片部１３８を側板部１１８に対して折り曲げて、この片部１３８を深く押し込み、片部１３８の先端部が片部１３４の内側になるまで深く押し込む。そして、片部１３８を押し込んだ状態を復帰させることにより、底面部が構成される。なお、上記のようなＢ式底組みの形式は、アメリカンロックや地獄底とも呼ばれている。
【０００４】
なお、出願人は、先行技術文献の調査は行っておらず、記載すべき先行技術文献は存在しない。
【考案の開示】
【考案が解決しようとする課題】
【０００５】
しかし、図９に示すようなＢ式底組みタイプの箱Ｂにおいては、箱Ｂの底面を構成する片部１３２〜１３８を組み立てる順序が上記のように決まっており、その順序を誤ると、箱Ｂの底面の強度を確保できない場合や箱の組立て自体を行うことができない場合が発生する。その意味で箱Ｂの底面の組立てが困難であるという問題を有していた。
【０００６】
そこで、本考案が解決しようとする問題点は、箱の側面部を構成する側板部の下端から連設された片部を組み合わせて底面部を構成する、いわゆるＢ式底組みタイプの箱において、底面を構成する片部の組立てを容易とすることができる箱を提供することである。
【課題を解決するための手段】
【０００７】
本考案は上記問題点を解決するために創作されたものであって、第１には、箱であって、箱の側面を形成する側面部で、方形状の第１側板部と、第１側板部の側端に折れ線を介して連設された方形状の第２側板部と、第２側板部の側端に折れ線を介して連設された方形状の第３側板部と、第３側板部の側端に折れ線を介して連設された方形状の第４側板部とを有し、該第１側板部と該第２側板部と該第３側板部と該第４側板部とで筒状に形成され、箱の組立て状態では該第１側板部と該第３側板部とが略平行に配設されるとともに、該第２側板部と該第４側板部とが略平行に配設される側面部と、該第１側板部の下端から折れ線を介して連設された第１片部と、該第２側板部の下端から折れ線を介して連設された第２片部と、該第３側板部の下端から折れ線を介して連設された第３片部と、該第４側板部の下端から折れ線を介して連設された第４片部と、を有し、該第１片部が、該第２片部側とは反対側に、第１側板部との間の折れ線に対して鋭角の辺部である傾斜辺部を有し、該第２片部が、該第２側板部の下端から折れ線を介して連設された第１基端部で、該第１片部側に、第２側板部との間の折れ線に対して鋭角の辺部である傾斜辺部を有する第１基端部と、該第１基端部の第２側板部側とは反対側に設けられた一対の突出部とを有し、該第３片部が、該第２片部側に、第３側板部との間の折れ線に対して鋭角の辺部である傾斜辺部を有し、該第４片部が、該第４側板部の下端から折れ線を介して連設された第２基端部で、該第３片部側に、第４側板部との間の折れ線に対して鋭角の辺部である傾斜辺部を有する第２基端部と、該第２基端部の第４側板部側とは反対側に設けられた一対の突出部とを有し、箱の組立て状態では、箱の底面側から見て、該第２片部の一部が該第１片部の一部に重なり、該第３片部の一部が該第２片部の一部に重なり、該第４片部の一部が該第３片部の一部に重なり、該第１片部の一部が該第４片部の一部に重なり、さらに、該第２片部における一対の突出部のうち傾斜辺部に近い方の突出部が該第４片部における一対の突出部間の切欠部に入り込み、該第４片部における一対の突出部のうち傾斜辺部に近い方の突出部が該第２片部における一対の突出部間の切欠部に入り込んだ状態となって、第１片部と第２片部と第３片部と第４片部により箱の底面部が形成されることを特徴とする。
【０００８】
この第１の構成の箱においては、箱が上記のように構成されているので、箱の底面側から見て、第１片部〜第４片部を任意の順序で側面部に対して折り曲げて、側面部の中に押し込んだ状態とし、結果として、該第２片部の一部が該第１片部の一部に重なり、該第３片部の一部が該第２片部の一部に重なり、該第４片部の一部が該第３片部の一部に重なり、該第１片部の一部が該第４片部の一部に重なるようにして、各片部を復帰させることにより、該第２片部における一対の突出部のうち傾斜辺部に近い方の突出部が該第４片部における一対の突出部間の切欠部に入り込み、該第４片部における一対の突出部のうち傾斜辺部に近い方の突出部が該第２片部における一対の突出部間の切欠部に入り込んだ状態となって、第１片部〜第４片部により底面部が形成され、よって、底面を構成する片部の組立てを容易とすることができる。なお、各片部における傾斜辺部は、箱の底面側に露出するが、この傾斜辺部により従来の箱と同様の外観（底面側の外観）を呈することができる。特に、本考案の箱においては、第１片部と第３片部が同じ構成を呈し、第２片部と第４片部が同じ構成を呈するので、これにより、第１片部〜第４片部を折り曲げる順序に任意性を持たせることが可能となる。
【０００９】
また、第２には、上記第１の構成において、上記第１片部と上記第３片部とは、同大同形状に形成されているとともに、上記第２片部と上記第４片部とは、同大同形状に形成されていて、箱の組立て状態においては、上記第１片部と上記第３片部とは互いに点対称に設けられ、また、上記第２片部と上記第４片部とは互いに点対称に設けられていることを特徴とする。よって、第１片部〜第４片部を折り曲げる順序に任意性を持たせることが可能となる。
【００１０】
また、第３には、上記第１又は第２の構成において、上記第２片部における第１基端部の幅であって第２側板部との折れ線から第１基端部の先端までの幅は、上記第１側板部及び第３側板部の横方向の幅の略半分の長さを有し、また、上記第４片部における第２基端部の幅であって第４側板部との折れ線から第２基端部の先端までの幅は、上記第１側板部及び第３側板部の横方向の幅の略半分の長さを有していることを特徴とする。
【００１１】
また、第４には、箱であって、箱の側面を形成する側面部で、方形状の第１側板部と、第１側板部の側端に折れ線を介して連設された方形状の第２側板部と、第２側板部の側端に折れ線を介して連設された方形状の第３側板部と、第３側板部の側端に折れ線を介して連設された方形状の第４側板部とを有し、該第１側板部と該第２側板部と該第３側板部と該第４側板部とで筒状に形成され、箱の組立て状態では該第１側板部と該第３側板部とが略平行に配設されるとともに、該第２側板部と該第４側板部とが略平行に配設される側面部と、該第１側板部の下端から折れ線を介して連設された第１片部と、該第２側板部の下端から折れ線を介して連設された第２片部と、該第３側板部の下端から折れ線を介して連設された第３片部と、該第４側板部の下端から折れ線を介して連設された第４片部と、を有し、該第１片部が、該第２片部側とは反対側に、第１側板部との間の折れ線に対して鋭角の辺部である傾斜辺部を有し、該第２片部が、該第２側板部の下端から折れ線を介して連設された第１基端部で、該第１片部側に、第２側板部との間の折れ線に対して鋭角の辺部である傾斜辺部を有する第１基端部と、該第１基端部の第２側板部側とは反対側に設けられた一対の突出部とを有し、該第２片部における第１基端部の幅であって第２側板部との折れ線から第１基端部の先端までの幅は、上記第１側板部及び第３側板部の横方向の幅の略半分の長さを有し、該第３片部が、該第１片部と同大同形状に形成され、該第２片部側に、第３側板部との間の折れ線に対して鋭角の辺部である傾斜辺部を有し、該第４片部が、該第２片部と同大同形状に形成され、該第４側板部の下端から折れ線を介して連設された第２基端部で、該第３片部側に、第４側板部との間の折れ線に対して鋭角の辺部である傾斜辺部を有する第２基端部と、該第２基端部の第４側板部側とは反対側に設けられた一対の突出部とを有し、該第４片部における第２基端部の幅であって第４側板部との折れ線から第２基端部の先端までの幅は、上記第１側板部及び第３側板部の横方向の幅の略半分の長さを有し、箱の組立て状態では、箱の底面側から見て、該第２片部の一部が該第１片部の一部に重なり、該第３片部の一部が該第２片部の一部に重なり、該第４片部の一部が該第３片部の一部に重なり、該第１片部の一部が該第４片部の一部に重なり、さらに、該第２片部における一対の突出部のうち傾斜辺部に近い方の突出部が該第４片部における一対の突出部間の切欠部に入り込み、該第４片部における一対の突出部のうち傾斜辺部に近い方の突出部が該第２片部における一対の突出部間の切欠部に入り込んだ状態となっており、また、上記第１片部と上記第３片部とは互いに点対称に設けられ、また、上記第２片部と上記第４片部とは互いに点対称に設けられ、第１片部と第２片部と第３片部と第４片部により箱の底面部が形成されることを特徴とする。
【００１２】
この第４の構成の箱においては、箱が上記のように構成されているので、箱の底面側から見て、第１片部〜第４片部を任意の順序で側面部に対して折り曲げて、側面部の中に押し込んだ状態とし、結果として、該第２片部の一部が該第１片部の一部に重なり、該第３片部の一部が該第２片部の一部に重なり、該第４片部の一部が該第３片部の一部に重なり、該第１片部の一部が該第４片部の一部に重なるようにして、各片部を復帰させることにより、該第２片部における一対の突出部のうち傾斜辺部に近い方の突出部が該第４片部における一対の突出部間の切欠部に入り込み、該第４片部における一対の突出部のうち傾斜辺部に近い方の突出部が該第２片部における一対の突出部間の切欠部に入り込んだ状態となって、第１片部〜第４片部により底面部が形成され、よって、底面を構成する片部の組立てを容易とすることができる。なお、各片部における傾斜辺部は、箱の底面側に露出するが、この傾斜辺部により従来の箱と同様の外観（底面側の外観）を呈することができる。特に、本考案の箱においては、第１片部と第３片部が同じ構成を呈し、第２片部と第４片部が同じ構成を呈するので、これにより、第１片部〜第４片部を折り曲げる順序に任意性を持たせることが可能となる。
【００１３】
また、第５には、上記第１から第４までのいずれかの構成において、上記第１片部が、第１片部における上記傾斜辺部から第１片部の先端側に連設された先端側傾斜辺部を有し、該第１辺部において、該先端側傾斜辺部と該傾斜辺部とは鈍角を形成しており、また、上記第３片部が、第３片部における上記傾斜辺部から第３片部の先端側に連設された先端側傾斜辺部を有し、該第３辺部において、該先端側傾斜辺部と該傾斜辺部とは鈍角を形成していることを特徴とする。これにより、他の片部に係止させる状態とすることができ、底面部の組立て状態を強固にすることができる。
【００１４】
また、第６には、箱であって、箱の側面を形成する側面部で、方形状の第１側板部と、第１側板部の側端に折れ線を介して連設された方形状の第２側板部と、第２側板部の側端に折れ線を介して連設された方形状の第３側板部と、第３側板部の側端に折れ線を介して連設された方形状の第４側板部とを有し、該第１側板部と該第２側板部と該第３側板部と該第４側板部とで筒状に形成され、箱の組立て状態では該第１側板部と該第３側板部とが略平行に配設されるとともに、該第２側板部と該第４側板部とが略平行に配設される側面部と、該第１側板部の下端から折れ線を介して連設された第１片部と、該第２側板部の下端から折れ線を介して連設された第２片部と、該第３側板部の下端から折れ線を介して連設された第３片部と、該第４側板部の下端から折れ線を介して連設された第４片部と、を有し、該第１片部が、該第１側板部の下端から折れ線を介して連設された第１基端部で、該第２片部側とは反対側に、第１側板部との間の折れ線に対して鋭角の辺部である傾斜辺部を有する第１基端部と、該第１基端部の第１側板部側とは反対側に設けられた一対の突出部とを有し、該第２片部が、該第１片部側に、第２側板部との間の折れ線に対して鋭角の辺部である傾斜辺部を有し、該第３片部が、該第３側板部の下端から折れ線を介して連設された第２基端部で、該第２片部側に、第３側板部との間の折れ線に対して鋭角の辺部である傾斜辺部を有する第２基端部と、該第２基端部の第３側板部側とは反対側に設けられた一対の突出部とを有し、該第４片部が、該第３片部側に、第４側板部との間の折れ線に対して鋭角の辺部である傾斜辺部を有し、箱の組立て状態では、箱の底面側から見て、該第２片部の一部が該第１片部の一部に重なり、該第３片部の一部が該第２片部の一部に重なり、該第４片部の一部が該第３片部の一部に重なり、該第１片部の一部が該第４片部の一部に重なり、さらに、該第１片部における一対の突出部のうち傾斜辺部に近い方の突出部が該第３片部における一対の突出部間の切欠部に入り込み、該第３片部における一対の突出部のうち傾斜辺部に近い方の突出部が該第１片部における一対の突出部間の切欠部に入り込んだ状態となって、第１片部と第２片部と第３片部と第４片部により箱の底面部が形成されることを特徴とする。
【００１５】
この第６の構成の箱においては、箱が上記のように構成されているので、箱の底面側から見て、第１片部〜第４片部を任意の順序で側面部に対して折り曲げて、側面部の中に押し込んだ状態とし、結果として、該第２片部の一部が該第１片部の一部に重なり、該第３片部の一部が該第２片部の一部に重なり、該第４片部の一部が該第３片部の一部に重なり、該第１片部の一部が該第４片部の一部に重なるようにして、各片部を復帰させることにより、該第１片部における一対の突出部のうち傾斜辺部に近い方の突出部が該第３片部における一対の突出部間の切欠部に入り込み、該第３片部における一対の突出部のうち傾斜辺部に近い方の突出部が該第１片部における一対の突出部間の切欠部に入り込んだ状態となって、第１片部〜第４片部により底面部が形成され、よって、底面を構成する片部の組立てを容易とすることができる。なお、各片部における傾斜辺部は、箱の底面側に露出するが、この傾斜辺部により従来の箱と同様の外観（底面側の外観）を呈することができる。特に、本考案の箱においては、第１片部と第３片部が同じ構成を呈し、第２片部と第４片部が同じ構成を呈するので、これにより、第１片部〜第４片部を折り曲げる順序に任意性を持たせることが可能となる。
【００１６】
また、第７には、上記第６の構成において、上記第１片部と上記第３片部とは、同大同形状に形成されているとともに、上記第２片部と上記第４片部とは、同大同形状に形成されていて、箱の組立て状態においては、上記第１片部と上記第３片部とは互いに点対称に設けられ、また、上記第２片部と上記第４片部とは互いに点対称に設けられていることを特徴とする。よって、第１片部〜第４片部を折り曲げる順序に任意性を持たせることが可能となる。
【００１７】
また、第８には、上記第６又は第７の構成において、上記第１片部における第１基端部の幅であって第１側板部との折れ線から第１基端部の先端までの幅は、上記第２側板部及び第４側板部の横方向の幅の略半分の長さを有し、また、上記第３片部における第２基端部の幅であって第３側板部との折れ線から第２基端部の先端までの幅は、上記第２側板部及び第４側板部の横方向の幅の略半分の長さを有していることを特徴とする。
【００１８】
また、第９には、箱であって、箱の側面を形成する側面部で、方形状の第１側板部と、第１側板部の側端に折れ線を介して連設された方形状の第２側板部と、第２側板部の側端に折れ線を介して連設された方形状の第３側板部と、第３側板部の側端に折れ線を介して連設された方形状の第４側板部とを有し、該第１側板部と該第２側板部と該第３側板部と該第４側板部とで筒状に形成され、箱の組立て状態では該第１側板部と該第３側板部とが略平行に配設されるとともに、該第２側板部と該第４側板部とが略平行に配設される側面部と、該第１側板部の下端から折れ線を介して連設された第１片部と、該第２側板部の下端から折れ線を介して連設された第２片部と、該第３側板部の下端から折れ線を介して連設された第３片部と、該第４側板部の下端から折れ線を介して連設された第４片部と、を有し、該第１片部が、該第１側板部の下端から折れ線を介して連設された第１基端部で、該第２片部側とは反対側に、第１側板部との間の折れ線に対して鋭角の辺部である傾斜辺部を有する第１基端部と、該第１基端部の第１側板部側とは反対側に設けられた一対の突出部とを有し、該第１片部における第１基端部の幅であって第１側板部との折れ線から第１基端部の先端までの幅は、上記第２側板部及び第４側板部の横方向の幅の略半分の長さを有し、該第２片部が、該第１片部側に、第２側板部との間の折れ線に対して鋭角の辺部である傾斜辺部を有し、該第３片部が、該第１片部と同大同形状に形成され、該第３側板部の下端から折れ線を介して連設された第２基端部で、該第２片部側に、第３側板部との間の折れ線に対して鋭角の辺部である傾斜辺部を有する第２基端部と、該第２基端部の第３側板部側とは反対側に設けられた一対の突出部とを有し、該第３片部における第２基端部の幅であって第３側板部との折れ線から第２基端部の先端までの幅は、上記第２側板部及び第４側板部の横方向の幅の略半分の長さを有し、該第４片部が、該第２片部と同大同形状に形成され、該第３片部側に、第４側板部との間の折れ線に対して鋭角の辺部である傾斜辺部を有し、箱の組立て状態では、箱の底面側から見て、該第２片部の一部が該第１片部の一部に重なり、該第３片部の一部が該第２片部の一部に重なり、該第４片部の一部が該第３片部の一部に重なり、該第１片部の一部が該第４片部の一部に重なり、さらに、該第１片部における一対の突出部のうち傾斜辺部に近い方の突出部が該第３片部における一対の突出部間の切欠部に入り込み、該第３片部における一対の突出部のうち傾斜辺部に近い方の突出部が該第１片部における一対の突出部間の切欠部に入り込んだ状態となっており、また、上記第１片部と上記第３片部とは互いに点対称に設けられ、また、上記第２片部と上記第４片部とは互いに点対称に設けられ、第１片部と第２片部と第３片部と第４片部により箱の底面部が形成されることを特徴とする。
【００１９】
この第９の構成の箱においては、箱が上記のように構成されているので、箱の底面側から見て、第１片部〜第４片部を任意の順序で側面部に対して折り曲げて、側面部の中に押し込んだ状態とし、結果として、該第２片部の一部が該第１片部の一部に重なり、該第３片部の一部が該第２片部の一部に重なり、該第４片部の一部が該第３片部の一部に重なり、該第１片部の一部が該第４片部の一部に重なるようにして、各片部を復帰させることにより、該第１片部における一対の突出部のうち傾斜辺部に近い方の突出部が該第３片部における一対の突出部間の切欠部に入り込み、該第３片部における一対の突出部のうち傾斜辺部に近い方の突出部が該第１片部における一対の突出部間の切欠部に入り込んだ状態となって、第１片部〜第４片部により底面部が形成され、よって、底面を構成する片部の組立てを容易とすることができる。なお、各片部における傾斜辺部は、箱の底面側に露出するが、この傾斜辺部により従来の箱と同様の外観（底面側の外観）を呈することができる。特に、本考案の箱においては、第１片部と第３片部が同じ構成を呈し、第２片部と第４片部が同じ構成を呈するので、これにより、第１片部〜第４片部を折り曲げる順序に任意性を持たせることが可能となる。
【００２０】
また、第１０には、上記第６から第９までのいずれかの構成において、上記第２片部が、第２片部における上記傾斜辺部から第２片部の先端側に連設された先端側傾斜辺部を有し、該第２辺部において、該先端側傾斜辺部と該傾斜辺部とは鈍角を形成しており、また、上記第４片部が、第４片部における上記傾斜辺部から第４片部の先端側に連設された先端側傾斜辺部を有し、該第４辺部において、該先端側傾斜辺部と該傾斜辺部とは鈍角を形成していることを特徴とする。これにより、他の片部に係止させる状態とすることができ、底面部の組立て状態を強固にすることができる。
【００２１】
また、第１１には、上記第１から第１０までのいずれかの構成において、上記第１片部が、第１片部に設けられた傾斜辺部とは反対側に他の傾斜辺部を有し、上記第２片部が、第２片部に設けられた傾斜辺部とは反対側に他の傾斜辺部を有し、上記第３片部が、第３片部に設けられた傾斜辺部とは反対側に他の傾斜辺部を有し、上記第４片部が、第４片部に設けられた傾斜辺部とは反対側に他の傾斜辺部を有していることを特徴とする。これらの傾斜辺部により、各片部を側板部に対して折り曲げる際に片部の角部が邪魔になることがない。
【００２２】
また、第１２には、上記第１から第１１までのいずれかの構成において、箱におけるいずれかの面に箱の組立て方法が記載されていることを特徴とする。
【考案の効果】
【００２３】
本考案に基づく箱によれば、側面部の下端から連設された片部を組み合わせて底面部を構成する、いわゆるＢ式底組みタイプの箱において、第１片部〜第４片部を任意の順序で側面部に対して折り曲げて底面を構成することができ、底面を構成する片部の組立てを容易とすることができる。
【考案を実施するための最良の形態】
【００２４】
本考案においては、側面部の下端から連設された片部を組み合わせて底面部を構成する箱において、別体の板状部を必要とすることなく内底面を平面状にすることができ、また、内底面を平面状にするための部材が脱落することのない箱を提供するという目的を以下のようにして実現した。
【００２５】
本考案の実施例１に基づく箱Ａは、図１、図２に示すように構成され、側面部１０と、底面部３０と、蓋部４０と、片部５２、５６とを有している。側面部１０は、側板部１２、１４、１６、１８等を有している。側面部１０は全体に筒状を呈し、側板部１２と側板部１６は互いに略平行となっており、側板部１４と側板部１８は互いに略平行となっている。側面部１０の詳細は後述する。また、底面部３０は、片部３２と、片部３４と、片部３６と、片部３８とから構成されている。
【００２６】
この箱Ａの詳細について、展開状態を示す図４〜図６を主として利用して説明する。箱Ａは、図４に示す展開状態の板状部材（例えば、段ボール材等の紙材）を組み立てることにより形成されたものであり、段ボール材等の板状の部材を図４に示す形状に形成して組み立てることにより、箱Ａが形成される。なお、図４において、一点鎖線は山折りの折れ線を示す。
【００２７】
まず、側面部１０は、側板部（第１側板部）１２と、側板部（第２側板部）１４と、側板部（第３側板部）１６と、側板部（第４側板部）１８と、糊代部２０とを有している。これらの各側板部は、略方形状を呈していて、側板部１２と側板部１６は略同大同形状であり、側板部１４と側板部１８は略同大同形状となっている。
【００２８】
なお、側板部１２や側板部１６を第１側板部と捉えた場合が、上記請求項１〜５に相当する。例えば、側板部１２を第１側板部と捉えた場合には、例えば、側板部１４が第２側板部に当たり、側板部１６が第３側板部に当たり、側板部１８が第４側板部に当たる。また、例えば、側板部１６を第１側板部と捉えた場合には、例えば、側板部１８が第２側板部に当たり、側板部１２が第３側板部に当たり、側板部１４が第４側板部に当たる。一方、側板部１４や側板部１８を第１側板部と捉えた場合が、上記請求項６〜１０に相当する。例えば、側板部１４を第１側板部と捉えた場合には、例えば、側板部１６が第２側板部に当たり、側板部１８が第３側板部に当たり、側板部１２が第４側板部に当たる。また、例えば、側板部１８を第１側板部と捉えた場合には、例えば、側板部１２が第２側板部に当たり、側板部１４が第３側板部に当たり、側板部１６が第４側板部に当たる。
【００２９】
なお、以下の説明において、特許請求の範囲における文言との関連を示す説明については、側板部１２を第１側板部とし、側板部１４を第２側板部とし、側板部１６を第３側板部とし、側板部１８を第４側板部とした場合についてのものとする。
【００３０】
まず、側板部１２は、略方形状（具体的には、長方形状）の板状を呈している。また、側板部１４は、側板部１２の側端から折れ線を介して連設され、略方形状（具体的には、長方形状）を呈している。また、側板部１６は、側板部１４の側板部１２側とは反対側の側端から折れ線を介して連設され、略方形状（具体的には、長方形状）を呈している。また、側板部１８は、側板部１６の側板部１４側とは反対側の側端から折れ線を介して連設され、略方形状（具体的には、長方形状）を呈している。また、糊代部２０は、側板部１８の側板部１６側とは反対側の端部から折れ線を介して連設されており、略台形形状を呈している。この糊代部２０の図４における表側に接着剤が塗布されて、側板部１２の裏側に糊代部２０が接着されることになる。これにより、側板部１２と側板部１４と側板部１６と側板部１８とで筒状に形成される。
【００３１】
また、底面部３０は、上記のように、片部（第１片部）３２と、片部（第２片部）３４と、片部（第３片部）３６と、片部（第４片部）３８とから構成されている。
【００３２】
ここで、片部３２は、側板部１２の下端から折れ線を介して連設されている。この片部３２は、傾斜辺部３２−１と、該傾斜辺部３２−１から連設された傾斜辺部３２−２と、該傾斜辺部３２−２から連設されたアール部３２−３と、該アール部３２−３から連設された横方向辺部３２−４と、該横方向辺部３２−４から連設された傾斜辺部３２−５と、該傾斜辺部３２−５から連設された縦方向辺部３２−６と、側板部１２との境界線１０２により囲まれた形状を呈している。
【００３３】
すなわち、傾斜辺部３２−１は、側板部１２の右下の角部から斜め左側下方に伸びていて、この傾斜辺部３２−１と境界線１０２とがなす角度α１１は、鋭角（具体的には、４０〜５０度（好ましくは４５度））となっている。この傾斜辺部３２−１が、「第１側板部との間の折れ線に対して鋭角の辺部である傾斜辺部」に当たる。また、傾斜辺部３２−２（先端側傾斜辺部）は、傾斜辺部３２−１から連設され、傾斜辺部３２−２と傾斜辺部３２−１とがなす角度α１２は、鈍角（具体的には、１５５〜１６５度（好ましくは１６０度））をなしている。なお、傾斜辺部３２−２が境界線１０２の方向となす角度α１３は、鋭角（具体的には、６０〜７０度（好ましくは６５度））をなしている。また、アール部３２−３は、傾斜辺部３２−２から連設され、傾斜辺部３２−２と横方向辺部３２−４とで形成される角部にアールを形成している。また、横方向辺部３２−４は、アール部３２−３から連設され、境界線１０２と略平行に形成されている。また、傾斜辺部３２−５は、横方向辺部３２−４から連設され、境界線１０２の方向となす角度α１４は約８５度となっている。この傾斜辺部３２−５は、第１片部に設けられた傾斜辺部とは反対側に設けられた他の傾斜辺部に当たる。また、縦方向辺部３２−６は、傾斜辺部３２−５から連設され、境界線１０２に対して略直角をなしている。
【００３４】
片部３２は上記のように構成されており、傾斜辺部３２−１と傾斜辺部３２−２との接続位置Ｓ１を通る横方向（つまり、境界線１０２と同じ方向、Ｘ１−Ｘ２方向としてもよい）の線（仮想線）よりも側板部１２側の片部３２の領域を基端部３２ａとした場合に、該接続位置Ｓ１よりも先端側を突出部３２ｂと捉えることができる。
【００３５】
なお、箱Ａの組立て状態において、箱Ａの底面側から見て、片部３２は、隣接する片部３８に重なるので、傾斜辺部３２−１は、箱Ａの底面側に露出することになる。
【００３６】
また、箱Ａの底面側から見て、片部３２が片部３８に重なるが、その際、傾斜辺部３２−１が境界線１０２に対して傾斜して形成され、また、片部３８においては、縦方向辺部３８−１２が形成されるとともに、傾斜辺部３８−１１の横方向との角度α２７がα１１よりも大きいので、箱Ａの組立て状態において、傾斜辺部３２−１と境界線１０２間の領域の上側には片部３８が存在し、傾斜辺部３２−１の位置において十分底面が被覆されることになる。
【００３７】
次に、片部３４は、側板部１４の下端から折れ線を介して連設されている。この片部３４は、傾斜辺部３４−１と、縦方向辺部３４−２と、アール部３４−３と、横方向辺部３４−４と、縦方向辺部３４−５と、横方向辺部３４−６と、縦方向辺部３４−７と、アール部３４−８と、横方向辺部３４−９と、アール部３４−１０と、傾斜辺部３４−１１と、縦方向辺部３４−１２と、側板部１４との境界線１０４により囲まれた形状を呈している。
【００３８】
すなわち、傾斜辺部３４−１は、側板部１４の右下の角部から斜め左側下方に伸びていて、この傾斜辺部３４−１と境界線１０４とがなす角度α１５は、鋭角（具体的には、４０〜５０度（好ましくは４５度））となっていて、箱の展開状態においては、傾斜辺部３２−１と略平行（平行としてもよい）になっている。この傾斜辺部３４−１が、「第２側板部との間の折れ線に対して鋭角の辺部である傾斜辺部」に当たる。また、縦方向辺部３４−２は、傾斜辺部３４−１から連設され、境界線１０４に対して略直角をなしている。また、傾斜辺部３４−１と縦方向辺部３４−２とがなす角度α１６は、鈍角（具体的には、１３０〜１４０度（好ましくは１４０度））をなしている。また、アール部３４−３は、縦方向辺部３４−２から連設され、縦方向辺部３４−２と横方向辺部３４−４とで形成される角部にアールを形成している。また、横方向辺部３４−４は、アール部３４−３から連設され、境界線１０４と略平行に形成されている。また、縦方向辺部３４−５は、横方向辺部３４−４から連設され、境界線１０４に対して略直角をなしている。また、横方向辺部３４−６は、縦方向辺部３４−５から連設され、境界線１０４と略平行に形成されている。また、縦方向辺部３４−７は、横方向辺部３４−６から連設され、境界線１０４と略垂直に形成されている。また、アール部３４−８は、縦方向辺部３４−７から連設され、縦方向辺部３４−７と横方向辺部３４−９とで形成される角部にアールを形成している。また、横方向辺部３４−９は、アール部３４−８から連設され、境界線１０４と略平行に形成されている。また、アール部３４−１０は、横方向辺部３４−９から連設され、横方向辺部３４−９と傾斜辺部３４−１１とで形成される角部にアールを形成している。また、傾斜辺部３４−１１は、アール部３４−１０から連設され、境界線１０４の方向となす角度α１７は６５度〜７５度（好適には７０度）となっている。この傾斜辺部３４−１１は、第２片部に設けられた傾斜辺部とは反対側に設けられた他の傾斜辺部に当たる。また、縦方向辺部３４−１２は、傾斜辺部３４−１１から連設され、境界線１０４に対して略直角をなしている。
【００３９】
なお、傾斜辺部３４−１と縦方向辺部３４−２との接続位置Ｓ２から境界線１０４までの距離Ｐ２は、横方向辺部３４−６と境界線１０４間の距離Ｐ３と同じ長さであり、また、これらの距離Ｐ２、Ｐ３は、接続位置Ｓ１から境界線１０２までの距離Ｐ１と同じ長さとなっている。なお、距離Ｐ１，Ｐ２，Ｐ３は、片部３４の基端部３４ａの縦方向（Ｙ１−Ｙ２方向）の長さが側板部１２、１６の幅（Ｘ１−Ｘ２方向の幅）の略半分であるので、距離Ｐ１，Ｐ２，Ｐ３も側板部１２、１６の幅（Ｘ１−Ｘ２方向の幅）の略半分であるといえる。
【００４０】
片部３４は上記のように構成されており、接続位置Ｓ２や横方向辺部３４−６を通る横方向（つまり、境界線１０４と同じ方向、Ｘ１−Ｘ２方向としてもよい）の線（仮想線）よりも側板部１４側の片部３４の領域を基端部（第１基端部）３４ａとした場合に、該仮想線よりも先端側を突出部３４ｂと突出部３４ｃと捉えることができる。この突出部３４ｂと突出部３４ｃによって、上記一対の突出部が構成される。また、この突出部３４ｂと突出部３４ｃ間には、切欠部Ｋ１１が形成されている。
【００４１】
なお、箱Ａの組立て状態において、箱Ａの底面側から見て、片部３４は、隣接する片部３２に重なるので、傾斜辺部３４−１は、箱Ａの底面側に露出することになる。また、箱Ａの底面側から見て、片部３４が片部３２に重なるが、その際、傾斜辺部３４−１が境界線１０４に対して傾斜して形成され、また、縦方向辺部３２−６や傾斜辺部３２−５が境界線１０２に対してほぼ直角となっているので、箱Ａの組立て状態において、傾斜辺部３４−１と境界線１０４間の領域の上側には片部３２が存在し、傾斜辺部３４−１の位置において十分底面が被覆されることになる。
【００４２】
次に、片部３６は、側板部１６の下端から折れ線を介して連設されている。この片部３６は、片部３２と同大同形状である。
【００４３】
すなわち、片部３６は、傾斜辺部３６−１と、該傾斜辺部３６−１から連設された傾斜辺部３６−２と、該傾斜辺部３６−２から連設されたアール部３６−３と、該アール部３６−３から連設された横方向辺部３６−４と、該横方向辺部３６−４から連設された傾斜辺部３６−５と、該傾斜辺部３６−５から連設された縦方向辺部３６−６と、側板部１６との境界線１０６により囲まれた形状を呈している。
【００４４】
すなわち、傾斜辺部３６−１は、側板部１６の右下の角部から斜め左側下方に伸びていて、この傾斜辺部３６−１と境界線１０６とがなす角度α２１は、鋭角（具体的には、４０〜５０度（好ましくは４５度））となっていて、箱の展開状態においては、傾斜辺部３２−１、３４−１と略平行（平行としてもよい）になっている。この傾斜辺部３６−１が、「第３側板部との間の折れ線に対して鋭角の辺部である傾斜辺部」に当たる。また、傾斜辺部（先端側傾斜辺部）３６−２は、傾斜辺部３６−１から連設され、傾斜辺部３６−２と傾斜辺部３６−１とがなす角度α２２は、鈍角（具体的には、１５５〜１６５度（好ましくは１６０度））をなしている。なお、傾斜辺部３６−２が境界線１０６の方向となす角度α２３は、鋭角（具体的には、６０〜７０度（好ましくは６５度））をなしている。また、アール部３６−３は、傾斜辺部３６−２から連設され、傾斜辺部３６−２と横方向辺部３６−４とで形成される角部にアールを形成している。また、横方向辺部３６−４は、アール部３６−３から連設され、境界線１０６と略平行に形成されている。また、傾斜辺部３６−５は、横方向辺部３６−４から連設され、境界線１０６の方向となす角度α２４は約８５度となっている。この傾斜辺部３６−５は、第３片部に設けられた傾斜辺部とは反対側に設けられた他の傾斜辺部に当たる。また、縦方向辺部３６−６は、傾斜辺部３６−５から連設され、境界線１０６に対して略直角をなしている。
【００４５】
片部３６は上記のように構成されており、傾斜辺部３６−１と傾斜辺部３６−２との接続位置Ｓ１１を通る横方向（つまり、境界線１０６と同じ方向、Ｘ１−Ｘ２方向としてもよい）の線（仮想線）よりも側板部１６側の片部３６の領域を基端部３６ａとした場合に、該接続位置Ｓ１１よりも先端側を突出部３６ｂと捉えることができる。
【００４６】
なお、箱Ａの組立て状態において、箱Ａの底面側から見て、片部３６は、隣接する片部３４に重なるので、傾斜辺部３６−１は、箱Ａの底面側に露出することになる。
【００４７】
また、箱Ａの底面側から見て、片部３６が片部３４に重なるが、その際、傾斜辺部３６−１が境界線１０６に対して傾斜して形成され、また、片部３４においては、縦方向辺部３４−１２が形成されるとともに、傾斜辺部３４−１１の横方向との角度α１７がα２１よりも大きいので、箱Ａの組立て状態において、傾斜辺部３６−１と境界線１０６間の領域の上側には片部３４が存在し、傾斜辺部３６−１の位置において十分底面が被覆されることになる。
【００４８】
次に、片部３８は、側板部１８の下端から折れ線を介して連設されている。この片部３８は、片部３４と同大同形状である。
【００４９】
すなわち、片部３８は、傾斜辺部３８−１と、縦方向辺部３８−２と、アール部３８−３と、横方向辺部３８−４と、縦方向辺部３８−５と、横方向辺部３８−６と、縦方向辺部３８−７と、アール部３８−８と、横方向辺部３８−９と、アール部３８−１０と、傾斜辺部３８−１１と、縦方向辺部３８−１２と、側板部１６との境界線１０６により囲まれた形状を呈している。
【００５０】
すなわち、傾斜辺部３８−１は、側板部１８の右下の角部から斜め左側下方に伸びていて、この傾斜辺部３８−１と境界線１０８とがなす角度α２５は、鋭角（具体的には、４０〜５０度（好ましくは４５度））となっていて、箱の展開状態においては、傾斜辺部３２−１、３４−１、３６−１と略平行（平行としてもよい）になっている。この傾斜辺部３８−１が、「第４側板部との間の折れ線に対して鋭角の辺部である傾斜辺部」に当たる。また、縦方向辺部３８−２は、傾斜辺部３８−１から連設され、境界線１０８に対して略直角をなしている。また、傾斜辺部３８−１と縦方向辺部３８−２とがなす角度α２６は、鈍角（具体的には、１３０〜１４０度（好ましくは１４０度））をなしている。また、アール部３８−３は、縦方向辺部３８−２から連設され、縦方向辺部３８−２と横方向辺部３８−４とで形成される角部にアールを形成している。また、横方向辺部３８−４は、アール部３８−３から連設され、境界線１０８と略平行に形成されている。また、縦方向辺部３８−５は、横方向辺部３８−４から連設され、境界線１０８に対して略直角をなしている。また、横方向辺部３８−６は、縦方向辺部３８−５から連設され、境界線１０８と略平行に形成されている。また、縦方向辺部３８−７は、横方向辺部３８−６から連設され、境界線１０８と略垂直に形成されている。また、アール部３８−８は、縦方向辺部３８−７から連設され、縦方向辺部３８−７と横方向辺部３８−９とで形成される角部にアールを形成している。また、横方向辺部３８−９は、アール部３８−８から連設され、境界線１０８と略平行に形成されている。また、アール部３８−１０は、横方向辺部３８−９から連設され、横方向辺部３８−９と傾斜辺部３８−１１とで形成される角部にアールを形成している。また、傾斜辺部３８−１１は、アール部３８−１０から連設され、境界線１０８の方向となす角度α２７は６５度〜７５度（好適には７０度）となっている。この傾斜辺部３８−１１は、第４片部に設けられた傾斜辺部とは反対側に設けられた他の傾斜辺部に当たる。また、縦方向辺部３８−１２は、傾斜辺部３８−１１から連設され、境界線１０８に対して略直角をなしている。
【００５１】
なお、傾斜辺部３８−１と縦方向辺部３８−２との接続位置Ｓ２２から境界線１０８までの距離Ｐ１２は、横方向辺部３８−６と境界線１０８間の距離Ｐ１３と同じ長さであり、また、これらの距離Ｐ１２、Ｐ１３は、接続位置Ｓ１１から境界線１０６までの距離Ｐ１１と同じ長さとなっている。なお、距離Ｐ１１，Ｐ１２，Ｐ１３は、片部３８の基端部３８ａの縦方向（Ｙ１−Ｙ２方向）の長さが側板部１２、１６の幅（Ｘ１−Ｘ２方向の幅）の略半分であるので、距離Ｐ１１，Ｐ１２，Ｐ１３も側板部１２、１６の幅（Ｘ１−Ｘ２方向の幅）の略半分であるといえる。なお、距離Ｐ１１，Ｐ１２，Ｐ１３は、距離Ｐ１，Ｐ２，Ｐ３と同じである。
【００５２】
片部３８は上記のように構成されており、接続位置Ｓ２２や横方向辺部３８−６を通る横方向（つまり、境界線１０８と同じ方向、Ｘ１−Ｘ２方向としてもよい）の線（仮想線）よりも側板部１８側の片部３８の領域を基端部（第２基端部）３８ａとした場合に、該仮想線よりも先端側を突出部３８ｂと突出部３８ｃと捉えることができる。この突出部３８ｂと突出部３８ｃによって、上記一対の突出部が構成される。また、この突出部３８ｂと突出部３８ｃ間には、切欠部Ｋ２１が形成されている。
【００５３】
なお、箱Ａの組立て状態において、箱Ａの底面側から見て、片部３８は、隣接する片部３６に重なるので、傾斜辺部３８−１は、箱Ａの底面側に露出することになる。また、箱Ａの底面側から見て、片部３８が片部３６に重なるが、その際、傾斜辺部３８−１が境界線１０８に対して傾斜して形成され、また、縦方向辺部３６−６や傾斜辺部３６−５が境界線１０６に対してほぼ直角となっているので、箱Ａの組立て状態において、傾斜辺部３８−１と境界線１０８間の領域の上側には片部３６が存在し、傾斜辺部３８−１の位置において十分底面が被覆されることになる。
【００５４】
なお、上記片部３２、３４、３６、３８において、突出部の長さ（つまり、Ｙ１−Ｙ２方向の長さ）は、各片部３２、３４、３６、３８の基端部の長さ（Ｙ１−Ｙ２方向の長さ）（つまり、Ｐ１〜Ｐ３、Ｐ１１〜Ｐ１３）が側板部１２、１６の幅の略半分であることから、片部３２、３４、３６、３８の基端部の長さ（Ｙ１−Ｙ２方向の長さ）よりも短い必要があり、より具体的には、片部３２、３４、３６、３８の基端部の長さ（Ｙ１−Ｙ２方向の長さ）の半分以下が好ましく、さらには、片部３２、３４、３６、３８の基端部の長さ（Ｙ１−Ｙ２方向の長さ）の４０〜５０％の長さが好ましい。
【００５５】
また、上記片部３４と片部３８において、突出部３４ｂと切欠部Ｋ２１とは箱Ａの組立て状態において互いに対向する位置に形成されていて、突出部３８ｂと切欠部Ｋ１１とは箱の組立て状態において互いに対向する位置に形成されている。つまり、片部３４において、縦方向辺部３４−５は側板部１４のＸ１−Ｘ２方向の略中心位置に形成され、また、片部３８において、縦方向辺部３８−５は側板部１８のＸ１−Ｘ２方向の略中心位置に形成されているといえる。
【００５６】
また、蓋部４０は、蓋本体部４２と、係止片部４４とを有している。この蓋本体部４２は、側板部１８の上端から折れ線を介して連設され、方形状（具体的には、長方形状）を呈している。この蓋本体部４２の長辺の幅（つまり、Ｘ１−Ｘ２方向の幅）は、側板部１８のＸ１−Ｘ２方向の幅と略同一であるが、厳密には、側板部１８のＸ１−Ｘ２方向の幅よりも若干短く形成されている。また、係止片部４４は、蓋本体部４２の側板部１８側とは反対側の端部から折れ線を介して連設され、略帯状を呈している。
【００５７】
また、片部５２は、側板部１２の上端から折れ線を介して連設され、方形状（具体的には、長方形状）を呈している。また、片部５６は、側板部１６の上端から折れ線を介して連設され、方形状（具体的には、長方形状）を呈している。
【００５８】
上記構成の箱Ａの組立て方法について説明する。なお、糊代部２０は、側板部１２に接着されているものとする。これにより、側面部１０は筒状となっている。
【００５９】
本実施例の箱Ａの組立て状態においては、箱Ａの底面側から見た場合に、図２に示すように、片部３２が片部３８に重なり、片部３４が片部３２に重なり、片部３６が片部３４に重なり、片部３８が片部３６に重なることにより、底面部３０を形成しているが、片部３２〜片部３８の４つの片部におけるいずれの片部から折曲しても底面部３０を組み立てることができる。
【００６０】
以下では、片部３８から折り始める場合を例にとって説明する。まず、片部３８を側板部１８に対して略直角に折り曲げる。次に、片部３２を側板部１２に対して折り曲げる。その際、片部３２の一部が片部３８の一部に重なることになる。次に、片部３４を側板部１４に対して折り曲げる。その際、片部３４の一部が片部３２の一部に重なり、また、片部３４の一部が片部３８の一部に重なることになる。この段階では、箱Ａは図８に示すような状態となっている。
【００６１】
その後、片部３６を側板部１６に対して折り曲げるのであるが、その際、片部３６が片部３８の下側（つまり、内側）となるように片部３６を押し込むようにする。すると、片部３６を押し込むことにより、片部３６に押されて片部３８や片部３４も下方に斜めに押し込まれ、さらに、片部３４が斜めに押し込まれることにより片部３２も下方に斜めに押し込まれることになる。そして、片部３６を深く斜め下方に押し込んでいくと、ある位置で、片部３６が片部３８に接している状態が解除されて、さらに深く片部３６を押し込むことができる。
【００６２】
そして、片部３８は片部３６に押された状態が解除されるので、もとの状態に復帰しようとするが、その際、片部３４の突出部３４ｃと切欠部Ｋ２１が互いに対向した位置にあり、また、片部３８の突出部３８ｃと切欠部Ｋ１１とが互いに対向した位置にあるので、突出部３４ｃは切欠部Ｋ２１に入り込み、突出部３８ｃは切欠部Ｋ１１に入り込むようになる。そして、片部３６を押し込んだ状態を徐々に解除すると、それにつれて、片部３８と片部３４も側板部に対して略直角の状態に復帰していき、片部３４と片部３８とが復帰するに従い、突出部３４ｃは片部３８の基端部３８ａの内側に位置するようになり、突出部３８ｃは片部３４の基端部３４ａの内側に位置するようになる。片部３２も片部３８により下から押されてもとの状態に復帰する。
【００６３】
そして、片部３６がもとの状態（つまり、側板部１６に対して略直角の状態）となると、底面部３０の組立て状態が完成される。なお、底面部３０が箱Ａの底面側から見た状態で若干へこんだ状態である場合には、内底側から底面部３０を押すことにより、底面部３０を平面状とすることができる。底面部３０の組立てが完成した状態を箱Ａの内側から見ると、図３に示すようになる。この図３に示すように、片部３２における傾斜辺部３２−１と傾斜辺部３２−２により形成される鈍角の部分は、突出部３８ｂと突出部３４ｃの間の位置に係止した状態となり、また、片部３６における傾斜辺部３６−１と傾斜辺部３６−２により形成される鈍角の部分は、突出部３４ｂと突出部３８ｃの間の位置に係止した状態となり、底面部における組み合わせ状態がより強固になる。
【００６４】
なお、上記の説明において、最初に片部３８から折り曲げる場合を例に取って説明したが、箱Ａの底面部３０を構成する片部３２〜３８は、図７に示すように、点対称の形状となっているので、最初に片部３４から折り曲げる場合も同様である。
【００６５】
また、片部３２や片部３６から折り曲げる場合も上記と略同様に組み立てることができる。例えば、最初に片部３２から折り曲げる場合には、片部３２を折り曲げ、その後、片部３４を折り曲げ、その後、片部３６を折り曲げる。そして、片部３８を折り曲げるのであるが、その際、片部３８がへ部３２の下側（つまり、内側）になるように片部３８を押し込むようにする。すると、片部３８を押し込むことにより、片部３８に押されて片部３２や片部３４や片部３６も下方に斜めに押し込まれる。そして、片部３８を深く斜めに押し込んでいくと、ある位置で、片部３８が片部３２に接している状態が解除されて、さらに深く片部３８を押し込むことができる。なお、片部３８には、傾斜辺部３８−１１が形成されていてこの傾斜辺部３８−１１の傾斜角度が適度な角度になっているので、片部３８を押し込んでいった際に適度な位置で片部３２と接した状態が解除される。
【００６６】
そして、片部３２は片部３８に押された状態が解除されるので、もとの状態に復帰しようとし、片部３８を押し込んだ状態を徐々に解除すると、片部３８の突出部３８ｃと切欠部Ｋ１１とが互いに対向した位置にあるので、突出部３４ｃは切欠部Ｋ２１に入り込み、突出部３８ｃは切欠部Ｋ１１に入り込むようになる。さらに、片部３８と片部３４も側板部に対して略直角の状態に復帰していき、片部３４と片部３８とが復帰するに従い、突出部３４ｃは片部３８の基端部３８ａの内側に位置するようになり、突出部３８ｃは片部３４の基端部３４ａの内側に位置するようになる。片部３２は、片部３８により下から押されてもとの状態に復帰し、また、片部３６は、片部３４により下から押されてもとの状態に復帰する。
【００６７】
以上のようにして、底面部３０の組立て状態が完成される。なお、底面部３０が箱Ａの底面側から見た状態で若干へこんだ状態である場合には、内底側から底面部３０を押すことにより、底面部３０を平面状とすることができる。
【００６８】
なお、上記の説明において、最初に片部３２から折り曲げる場合を例に取って説明したが、箱Ａの底面部３０を構成する片部３２〜３８は、図７に示すように、点対称の形状となっているので、最初に片部３６から折り曲げる場合も同様である。
【００６９】
以上のように、本実施例の箱Ａにおいては、片部３２〜３８におけるいずれの片部から折り曲げても半時計回りに折り曲げていき、最後の片部を深く押し込むことにより底面部３０を組み立てることができ、底面部３０の組立てを非常に容易に行うことができる。
【００７０】
なお、上記のようにいずれかの片部から半時計回りに折り曲げていき、最後の片部を深く押し込むことが好ましい組立て方法であるが、片部３２〜３８を側板部に対して折り曲げる順序をどのようにしても、片部３２〜３８をすべて側面部１０の中に押し込んだ形にすれば、結果として、上記のように半時計回りに片部を折り曲げていき、最後の片部を深く押し込んだ状態と同じ状態にすることが可能なので、結果として、片部３２〜３８を側面部１０の中の空間に押し込んだ状態にすれば、底面部３０の組立てが可能であることになる。ただし、片部を半時計回りに側板部に対して折り曲げていく方が組立てとしては容易であり、それ以外の方法の場合には、片部を側面部１０の中に押し込む操作が若干困難となる。
【００７１】
つまり、箱Ａが上記のように構成されているので、箱の底面側から見て、片部３２〜３８を任意の順序で側面部に対して折り曲げて、側面部の中に押し込んだ状態とし、結果として、片部３４の一部が片部３２の一部に重なり、片部３６の一部が片部３４の一部に重なり、片部３８の一部が片部３６の一部に重なり、片部３２の一部が片部３８の一部に重なるようにして、各片部を復帰させることにより、片部３４における突出部３４ｂが切欠部Ｋ２１に入り込み、片部３８における突出部３８ｂに入り込んだ状態となって、片部３２〜３８により底面部が形成される。なお、各片部における傾斜辺部は、箱の底面側に露出するが、この傾斜辺部により従来の箱と同様の外観（底面側の外観）を呈することができる。特に、本実施例の箱においては、片部３２と片部３６が同じ構成を呈し、片部３４と片部３８が同じ構成を呈するので、これにより、片部３２〜３８を折り曲げる順序に任意性を持たせることが可能となるといえる。
【００７２】
なお、片部３２〜３８に設けられたアール部は、ある片部が他の片部と組み合わさる場合に円滑に組み合わせ状態を形成する機能を果たしているといえる。
【００７３】
なお、上記の説明は、図４に示す展開状態において、折れ線を山折りとして組み立てる場合の例であるが、図４の展開状態において、折れ線を谷折りとして組み立てる場合には、片部３２〜３８を時計回りに側板部に対して折り曲げていくことにより容易に底面部を形成することができる。なお、この場合でも、片部３２〜３８を時計回りに折り曲げていくことが好ましいが、片部３２〜３８を折り曲げる順序は任意である。
【００７４】
なお、上記において「略平行」と記載した部分は「平行」としてもよく、また、「略垂直」と記載した部分は「垂直」としてもよい。
【００７５】
また、上記の構成において、箱Ａにおけるいずれかの面に組立て方法の説明を表示しておくことが好ましい。例えば、片部３４及び／又は片部３８の底面側に「底面をすべて中に折り込んで下さい。どの面から折り込んでも組み上がります。」と表示する。また、「底面を構成する片部を半時計回りに折り曲げて最後の片部を深く折り込んで下さい。」としてもよい。
【００７６】
また、上記の説明においては、図４に示すように、箱の展開状態において、側板部１２の側端に側板部１４が連設し、側板部１４の側端に側板部１６が連設し、側板部１６の側端に側板部１８が連設しているとして説明したが、側板部１２が側板部１８の左端から連設され、該側板部１２の下端に片部３２が連設され、上端に片部５２が連設された構成としてもよい。この場合でも、側板部１２〜１８により筒状に形成した状態では、側板部１２（第１側板部）と、側板部１２の側端に折れ線を介して連設された側板部１４（第２側板部）と、側板部１４の側端に折れ線を介して連設された側板部１６（第３側板部）と、側板部１６の側端に折れ線を介して連設された側板部１８（第４側板部）とを有し、側板部１２と側板部１４と側板部１６と側板部１８とで筒状に形成されることになる。
【図面の簡単な説明】
【００７７】
【図１】本実施例に基づく箱の斜視図である。
【図２】本実施例に基づく箱を底面側から視認した斜視図である。
【図３】本実施例に基づく箱の内側の状態を示す上面図である。
【図４】本実施例に基づく箱の展開状態を示す平面図である。
【図５】図４における要部平面図である。
【図６】図４における要部平面図である。
【図７】本実施例に基づく箱の組立て方法を説明するための説明図である。
【図８】本実施例に基づく箱の組立て方法を説明するための説明図である。
【図９】従来における箱の展開状態を示す平面図である。
【符号の説明】
【００７８】
Ａ  箱
１０  側面部
１２、１４、１６、１８  側板部
２０  糊代部
３２、３４、３６、３８、５２、５６  片部
３２ａ、３４ａ、３６ａ、３８ａ  基端部
３２ｂ、３４ｂ、３４ｃ、３６ｂ、３８ｂ、３８ｃ  突出部
４０  蓋部
【図１】
0003110775.tif 000003
【図２】
0003110775.tif 000004
【図３】
0003110775.tif 000005
【図４】
0003110775.tif 000006
【図５】
0003110775.tif 000007
【図６】
0003110775.tif 000008
【図７】
0003110775.tif 000009
【図８】
0003110775.tif 000010
【図９】
0003110775.tif 000011